(57)【特許請求の範囲】
【請求項１】
分散型制御システムの操作監視ステーションに設けられた監視画面の表示装置であって、主モニタ画面の表示手段と副モニタ画面の表示手段を個別に設けた監視画面の表示装置において、主モニタ画面のデスクトップ上で常にフルサイズウィンドウとされるワークエリアのサイズを変更するサイズ変更手段と、前記主モニタ画面のワークエリアがサイズ変更されると、これと連動して副モニタ画面のデスクトップ上で常にフルサイズウィンドウとされるワークエリアを、前記主モニタ画面のワークエリアサイズと同じになるようにサイズ変更する等値化手段と、を有することを特徴とする監視画面の表示装置。
【請求項２】
前記主モニタ画面のデスクトップ領域にはタクスバーを表示するタスクバー領域を設け、前記副モニタ画面にはアイコンを表示するデスクトップ領域を設けたことを特徴とする請求項１記載の監視画面の表示装置。
【請求項３】
前記副モニタ画面のデスクトップ領域には、ドキュメントエディタを起動するアイコンを配置したことを特徴とする請求項２記載の監視画面の表示装置。
【請求項４】
分散型制御システムの操作監視ステーションに設けられ、前記副モニタ画面のデスクトップ領域には、操作監視機能以外の機能を起動するアイコンが配置されたことを特徴とする請求項２記載の監視画面の表示装置。
【発明の詳細な説明】
【０００１】
【発明の属する技術分野】
本発明は、複数の画面を設けた監視画面の表示装置に関するものである。
【０００２】
【従来の技術】
大中規模プラントを制御するための分散型制御システムとして、統合生産制御システムがある。
分散型制御システムは、操作監視ステーションと制御ステーションを制御系ネットワークに接続し、制御ステーションはプラントの制御を担当し、操作監視ステーションはプラントの運転操作と監視を担当する構成をとっている。制御対象であるプラントの規模に応じて複数の制御ステーションがプラントに分散配置される。
操作監視ステーションには、プラントの運転操作と監視をするのに必要な画面を表示する監視画面の表示装置がある。統合生産制御システムでは、監視対象が多いことから画面を２段積みにした表示装置がある。
【０００３】
図８は従来における画面を２段積みにした表示装置の構成例を示した図である。
図８に示すように、キャビネット１に表示装置２と３を２段積みにしている。この表示装置は、画面の解像度、ウィンドウサイズ等が固定で汎用性がなかった。
【０００４】
図９は図８の表示装置の画面構成を示した概略図である。
図９で、上段画面１０と下段画面２０は、同一の画面構成をとっている。上段画面１０を主モニタ、下段画面２０を副モニタとする。
上段画面１０は、システムメッセージウィンドウ１１、上段フルサイズウィンドウ１２、データ入力エリア１３からなる。
【０００５】
システムメッセージウィンドウ１１は、プロセスアラームメッセージ、システムアラームメッセージ及びオペガイドメッセージを表示する。このウィンドウは、操作監視機能を果たす上で常に表示しており、オペレータにプロセスあるいはシステム上の異常を瞬時に通知する。システムメッセージウィンドウ１１は、アップバーウィンドウの属性を持ったウィンドウで作成されている。
アップバーウィンドウの属性は次の性格を備えている。
（１）スクリーンの４辺（上辺、下辺、左辺、右辺）の何処かに張り付く。
（２）常に手前に表示している。
（３）他のウィンドウが表示領域を覆うことがない。
【０００６】
フルサイズウィンドウ１２は、デスクトップを覆う最大化されたウィンドウである。操作監視ステーションのフルサイズウィンドウは、セキュリティ上、オペレータにデスクトップを見せない役割もある。このため、ウィンドウ最小化ができないウィンドウで作成されている。
【０００７】
データ入力エリア１３は、操作監視ステーションに対して指令を送るためのコマンド入力エリアである。データ入力エリア１３は、アップバーウィンドウの属性を持ったウィンドウで作成している。
デスクトップは、アップバーウィンドウの属性を持ったウィンドウ以外の全ての領域を指す。図９では、フルサイズウィンドウ１２がデスクトップと同サイズのウィンドウである。
下段画面２０も同様な画面構成になっている。
【０００８】
しかし、図８及び図９に示す従来例では次の問題点があった。
（ａ）上段画面と下段画面のフルサイズウィンドウのサイズ変更ができない。
（ｂ）上段画面１０のデータ入力エリア１３は、画面構成を下段画面と同じにするために形式的に存在するだけで何も機能していない。上段画面１０のデータ入力エリア１３にはコマンド入力することができない。
【０００９】
【発明が解決しようとする課題】
本発明は上述した問題点を解決するためになされたものであり、分散型制御システムの操作監視ステーションに設けられた監視画面の表示装置において、主モニタ画面のワークエリアがサイズ変更されると、これと連動して副モニタ画面のワークエリアを、前記主モニタ画面のワークエリアサイズと同じになるようにサイズ変更することによって、主モニタ画面と副モニタ画面の画面構成を統一でき、より操作性の良い環境を提供できる監視画面の表示装置を実現することを目的とする。
【００１０】
【課題を解決するための手段】
本発明は次のとおりの構成になった監視画面の表示装置である。
【００１２】
（１）分散型制御システムの操作監視ステーションに設けられた監視画面の表示装置であって、主モニタ画面の表示手段と副モニタ画面の表示手段を個別に設けた監視画面の表示装置において、主モニタ画面のデスクトップ上で常にフルサイズウィンドウとされるワークエリアのサイズを変更するサイズ変更手段と、前記主モニタ画面のワークエリアがサイズ変更されると、これと連動して副モニタ画面のデスクトップ上で常にフルサイズウィンドウとされるワークエリアを、前記主モニタ画面のワークエリアサイズと同じになるようにサイズ変更する等値化手段と、を有することを特徴とする監視画面の表示装置。
【００１３】
（２）前記主モニタ画面のデスクトップ領域にはタクスバーを表示するタスクバー領域を設け、前記副モニタ画面にはアイコンを表示するデスクトップ領域を設けたことを特徴とする（１）記載の監視画面の表示装置。
【００１４】
（３）前記副モニタ画面のデスクトップ領域には、ドキュメントエディタを起動するアイコンを配置したことを特徴とする（２）記載の監視画面の表示装置。
【００１５】
（４）分散型制御システムの操作監視ステーションに設けられ、前記副モニタ画面のデスクトップ領域には、操作監視機能以外の機能を起動するアイコンが配置されたことを特徴とする請求項（２）記載の監視画面の表示装置。
【００１６】
【発明の実施の形態】
以下図面を用いて本発明を詳しく説明する。図１は本発明の一実施例を示す構成図である。図１に示す装置は操作監視ステーションに設けられている。操作監視部１０は操作監視のための処理を行う。表示手段１１，１２，１３は操作監視ステーションで表示するモニタ画面を表示する。表示手段１１は主モニタ画面１４を表示し、表示手段１１とは個別に設けられた表示手段１２，１３は副モニタ画面１５，１６を表示する。ウィンドウ管理手段１７は、表示手段１１，１２，１３に表示するモニタ画面を管理する。モニタ画面にはウィンドウが表示される。
【００１７】
記憶手段１８には、操作監視に必要なデータ、ウィンドウ管理手段１７が管理しているウィンドウ等が格納されている。
サイズ変更手段１９は、主モニタ画面上にあるワークエリアをサイズ変更する。
等値化手段２０は、主モニタ画面のワークエリアがサイズ変更されると、これと連動して副モニタ画面のワークエリアを、主モニタ画面のワークエリアサイズと同じになるようにサイズ変更する。
【００１８】
図２はモニタ画面にあるワークエリアのサイズ変更のしかたを示した説明図である。
図２で、ワークエリアはフルサイズウィンドウの部分に相当する。
主モニタ画面３０にあるフルサイズウィンドウのサイズＡが変更されると、これと連動して副モニタ画面３１，３２にあるフルサイズウィンドウのサイズＢ１，Ｂ２が、主モニタ画面と同じになるようにサイズ変更される。
主モニタ画面３０は、各種のメッセージを表示するシステムメッセージウィンドウと、ワークエリアに相当するフルサイズウィンドウと、タクスバーを表示するタスクバー領域とからなる。
副モニタ画面３１，３２は、システムメッセージウィンドウと、フルサイズウィンドウと、アイコンを表示するデスクトップ領域とからなる。デスクトップ領域には、例えばドキュメントエディタを起動するアイコンが配置されている。
【００１９】
図１の装置の動作を説明する。
（１）操作監視パネルの生成と破棄
ウィンドウ管理手段１７が管理しているウィンドウを操作監視パネルとする。操作監視パネルには、グラフィックウィンドウ、チューニングウィンドウ、トレンドウィンドウ等のプラントを操作監視するためのウィンドウを表示する。
ウィンドウ管理手段１７は、操作監視部１０を立ち上げた時に起動する。ウィンドウ管理手段１７は、起動した時に、必要な枚数の操作監視パネルを生成する。そして、ウィンドウ管理を終了するときには生成した操作監視パネルを破棄する。
【００２０】
ウィンドウ管理手段１７はフルサイズウィンドウのサイズをモニタ間で等値化させるために、サイズ変更手段１９に対してワークエリアサイズ変更時の通知を依頼する。サイズ変更手段１９は、主モニタ画面のワークエリアサイズを変更する時に、ウィンドウ管理手段１７にサイズ変更を通知する。ウィンドウ管理手段１７はサイズ変更の通知を受けると、等値化手段２０に副モニタ画面のサイズ変更を行わせる。
サイズ変更手段１９は操作監視部１０のＯＳ（オペレーティング・システム）の制御の下で動作する。
【００２１】
図３はウィンドウ管理手段１７が操作監視パネルを生成する手順を示したフローチャートである。
図３に示すように、ウィンドウ管理手段１７は、サイズ変更手段１９に対してワークエリアサイズ変更時の通知を依頼する。ウィンドウ管理手段１７は操作監視パネルを生成し、生成したパネルを記憶手段１８にある管理領域に登録する。全パネルを生成するまでこの処理を行う。
この場合は、主モニタ画面がサイズ変更されると、ウィンドウ管理手段１７に変更通知がされ、これに応じて副モニタ画面がサイズ変更される。
【００２２】
図４はウィンドウ管理手段１７が操作監視パネルを破棄する手順を示したフローチャートである。
図４に示すように、ウィンドウ管理手段１７は、サイズ変更手段１９に対してワークエリアサイズ変更時の通知をしないように依頼する。ウィンドウ管理手段１７は操作監視パネルを破棄し、破棄したパネルを記憶手段１８にある管理領域から削除する。全パネルを生成するまでこの処理を行う。この場合は、サイズ変更が行われてもウィンドウ管理手段１７には通知されない。
【００２３】
（２）操作監視パネルのサイズの等値化
ワークエリアサイズが変更される場合について説明する。
ウィンドウ管理手段１７は、サイズ変更手段１９からワークエリアサイズの変更通知を受信すると、等値化手段２０にウィンドウサイズ変更のメッセージを送信する。等値化手段２０は、ウィンドウ管理手段１７が監視しているフルサイズウィンドウの操作監視パネルに対して、主モニタ画面のワークエリアサイズと等しくなるように副モニタ画面のワークエリアサイズを変更する。
これによって、フルサイズウィンドウになった副モニタ画面は、主モニタ画面のワークエリアサイズと同じになり、モニタ間でワークエリアのサイズを等値化できる。
【００２４】
図５はワークエリアサイズの変更手順を示したフローチャートである。
ワークエリアサイズがフルサイズウィンドウから他のサイズに変更される場合について説明する。
ウィンドウ管理手段１７は、サイズ変更手段１９からワークエリアサイズの変更通知を受信すると、各操作監視パネルについてフルサイズウィンドウになっているかどうかについて検査する。
フルサイズウィンドウになっているときは、該当パネルのサイズ変更のメッセージをサイズ変更手段１９に通知する。
【００２５】
サイズ変更手段１９は、主モニタ画面のワークエリアの情報を求める。また、該当操作監視パネルのワークエリアの情報を求める。そして、該当操作監視パネルのワークエリアのサイズが主モニタ画面のワークエリアのサイズと等しくなるようにサイズ変更を行う。
【００２６】
図６は図１の装置の表示画面例を示した図である。
主モニタ画面４０と副モニタ画面４１は、ワークエリアのサイズが同じになる。これにより、図６に示すように主モニタ画面４０に表示していた画像を副モニタ画面４１に表示した場合、同じスケーリング比率で表示することができる。すなわち、文字フォントと図形はモニタ間で同じサイズになる。
【００２７】
図７は図１の装置の他の表示画面例を示した図である。
図７に示すように、主モニタ画面５０にはタスクバー領域５１を設け、副モニタ画面６０にはデスクトップ領域６１を設けている。副モニタ画面６０にデスクトップ領域６１を設けることにより、オペレータに操作監視機能以外の機能を開放できる。オペレータはデスクトップ領域６１を使用することにより、一般的な操作を行うことが可能となり、操作監視ステーションの操作性が向上する。
例えば、デスクトップ領域には、日報、スケジュール、ユーティリティ、メモ帳、電卓、マニュアルのアイコンが表示されている。オペレータはアイコンをクリックすることにより、プログラムを起動することができる。日報をクリックしたときは、日報のドキュメントエディタを起動することができる。デスクトップ領域には、オペレータに許可したアイコンを配置することにより、より操作性の良い環境を提供できる。
【００３０】
【発明の効果】
本発明によれば次の効果が得られる。
【００３１】
請求項１記載の発明では、分散型制御システムの操作監視ステーションに設けられた監視画面の表示装置において、ある画面のワークエリアがサイズ変更されると、これと連動して他の画面のワークエリアを、変更画面のワークエリアサイズと同じになるようにサイズ変更する。これによって、複数の画面の画面構成を統一できると共に、主モニタ画面と副モニタ画面との間で画面構成を統一でき、より操作性の良い環境を提供できる。
【００３３】
請求項２記載の発明では、副モニタ画面にアイコンを表示したデスクトップ領域を設けたため、主モニタ画面にある機能以外の機能を副モニタ画面でオペレータに開放できる。
【００３４】
請求項３記載の発明では、デスクトップ領域には、ドキュメントエディタを起動するアイコンが配置されているため、オペレータは容易に日報等を確認できる。
【００３５】
請求項４記載の発明では、副モニタ画面のデスクトップ領域には操作監視機能以外の機能を起動するアイコンが配置されているため、オペレータに操作監視機能以外の機能を開放できる。
【図面の簡単な説明】
【図１】本発明の一実施例を示す構成図である。
【図２】ワークエリアのサイズ変更のしかたを示した説明図である。
【図３】本発明の動作説明図である。
【図４】本発明の動作説明図である。
【図５】本発明の動作説明図である。
【図６】本発明の動作説明図である。
【図７】本発明の動作説明図である。
【図８】従来における表示装置の画面構成を示した概略図である。
【図９】図８の表示装置の画面構成を示した概略図である。
【符号の説明】
１０  操作監視部
１１，１２，１３  表示部
１４，５０  主モニタ画面
１５，１６，６０  副モニタ画面
１９  サイズ変更手段
２０  等値化手段
５１  タスクバー領域
６１  デスクトップ領域
【図１】
0004192431.tif 000002
【図２】
0004192431.tif 000003
【図３】
0004192431.tif 000004
【図４】
0004192431.tif 000005
【図５】
0004192431.tif 000006
【図６】
0004192431.tif 000007
【図７】
0004192431.tif 000008
【図８】
0004192431.tif 000009
【図９】
0004192431.tif 000010